(57)【特許請求の範囲】
【請求項１】
稲妻検出データベースと、
ポータブル通信装置の位置、及び落雷と前記ポータブル通信装置との間の距離を示すデータを、通信ネットワークを介して前記ポータブル通信装置から受信し、
ポータブル通信装置の位置、及び落雷と前記ポータブル通信装置との間の距離を示すデータに部分的に基づいて、前記落雷の位置を決定し、
前記落雷の前記位置を前記稲妻検出データベースに格納する、
ように構成された分析ユニットと、を備え、
前記ポータブル通信装置は、
近接センサによって検出された１つ以上の光パルス、
外乱光センサによって検出された１つ以上の光パルス、
カメラによって検出された１つ以上の光パルス、又は、
タッチパッドによって検出された電界における変化、
に基づいて、落雷と前記ポータブル通信装置との間の距離を示すデータを決定可能なように構成されている、
システム。
【請求項２】
前記ポータブル通信装置は、
ディスプレイを備え、
前記ポータブル通信装置がオブジェクトの所定の距離内であることを前記近接センサが決定するときに、前記ディスプレイを非活性化する、ように構成されている、
請求項１に記載のシステム。
【請求項３】
前記ポータブル通信装置は、
ディスプレイを備え、
前記外乱光センサの出力に基づいて、前記ディスプレイの明るさを調整する、ように構成されている、
請求項１に記載のシステム。
【請求項４】
前記ポータブル通信装置は、
前記カメラの出力に基づいて、静止画及び／又は動画をキャプチャする、ように構成されている、
請求項１に記載のシステム。
【請求項５】
前記タッチパッドは、複数の導電トレースを含んでいる容量性タッチパッドであり、及び、
前記ポータブル通信装置は、
２つ以上の前記導電トレースをドライブし、
２つ以上の前記導電トレースの自己容量に基づいて、前記落雷と前記ポータブル通信装置との間の前記距離を示すデータを決定する、ように構成されている、
請求項１に記載のシステム。
【請求項６】
前記タッチパッドは、複数の導電トレースを含んでいる容量性タッチパッドであり、
前記複数の導電トレースは、複数の導電列及び複数の導電段を含んでおり、及び、
前記ポータブル通信装置は、
前記導電段又は前記導電列を順次ドライブし、
前記導電段及び導電列の間の相互容量に基づいて、前記落雷及び前記ポータブル通信装置の間の前記距離を示すデータを決定する、ように構成されている、
請求項１に記載のシステム。
【請求項７】
前記タッチパッドは、複数の導電トレースを含んでいる容量性タッチパッドであり、
前記複数の導電トレースは、複数の導電列及び複数の導電段を含んでおり、及び、
前記ポータブル通信装置は、
２つ以上の前記導電トレースをドライブし、
前記２つ以上の導電トレースの自己容量に基づいて、前記落雷と前記ポータブル通信装置との間の前記距離を示すデータを決定し、
前記複数の導電トレースの前記自己容量に基づいて、１つ以上の指又は導電針が前記タッチパッドに近接しているか否かを決定し、
１つ以上の指又は導電針が前記タッチパッドに近接しているという決定に応じて、前記導電段又は前記導電列を順次ドライブし、
前記導電段及び前記導電列の間の相互容量に基づいて、前記１つ以上の指又は導電針の位置を決定する、
請求項１に記載のシステム。
【請求項８】
ポータブル通信装置の位置を決定するように構成されている位置検出ユニットと、
落雷を検出し、前記落雷と前記ポータブル通信装置との間の距離を示すデータを決定するように構成されている稲妻検出ユニットと、
通信ネットワークを介して、前記ポータブル通信装置の前記位置、及び前記落雷と前記ポータブル通信装置との間の前記距離を示すデータを出力するように構成されている無線周波数回路と、を備え、
前記稲妻検出ユニットは、
近接センサによって検出された１つ以上の光パルス、
外乱光センサによって検出された１つ以上の光パルス、
カメラによって検出された１つ以上の光パルス、又は、
タッチパッドによって検出された電界における変化、
に基づいて、落雷と前記ポータブル通信装置との間の距離を示すデータを決定可能なように構成されている、
ポータブル通信装置。
【請求項９】
前記ポータブル通信装置は、
ディスプレイを備え、
前記ポータブル通信装置がオブジェクトの所定の距離内であることを前記近接センサが決定するときに、前記ディスプレイを非活性化する、ように構成されている、
請求項８に記載のポータブル通信装置。
【請求項１０】
前記ポータブル通信装置は、
ディスプレイを備え、
前記外乱光センサの出力に基づいて、前記ディスプレイの明るさを調整する、ように構成されている、
請求項８に記載のポータブル通信装置。
【請求項１１】
前記ポータブル通信装置は、
前記カメラの出力に基づいて、静止画及び／又は動画をキャプチャし、
前記カメラの前記出力に基づいて、前記落雷と前記ポータブル通信装置との間の前記距離を決定する、ように構成されている、
請求項８に記載のポータブル通信装置。
【請求項１２】
前記タッチパッドは、複数の導電トレースを含んでいる容量性タッチパッドであり、及び、
前記ポータブル通信装置は、
２つ以上の前記導電トレースをドライブし、
２つ以上の前記導電トレースの自己容量に基づいて、前記落雷と前記ポータブル通信装置との間の前記距離を示すデータを決定する、ように構成されている、
請求項８に記載のポータブル通信装置。
【請求項１３】
前記タッチパッドは、複数の導電列及び複数の導電段を含んでいる容量性タッチパッドであり、及び、
前記ポータブル通信装置は、
前記導電段又は前記導電列を順次ドライブし、
前記導電段及び導電列の間の相互容量に基づいて、前記落雷及び前記ポータブル通信装置の間の前記距離を示すデータを決定する、ように構成されている、
請求項８に記載のポータブル通信装置。
【請求項１４】
前記タッチパッドは、複数の導電トレースを含んでいる容量性タッチパッドであり、
前記複数の導電トレースは、複数の導電列及び複数の導電段を含んでおり、及び、
前記ポータブル通信装置は、
２つ以上の前記導電トレースをドライブし、
前記２つ以上の導電トレースの自己容量に基づいて、前記落雷と前記ポータブル通信装置との間の前記距離を示すデータを決定し、
前記複数の導電トレースの前記自己容量に基づいて、１つ以上の指又は導電針が前記タッチパッドに近接しているか否かを決定し、
１つ以上の指又は導電針が前記タッチパッドに近接しているという決定に応じて、前記導電段又は前記導電列を順次ドライブし、
前記導電段及び前記導電列の間の相互容量に基づいて、前記１つ以上の指又は導電針の位置を決定する、
請求項８に記載のポータブル通信装置。
【発明の詳細な説明】
【背景技術】
【０００１】
背景技術
稲妻は、雲の内部の電気的にチャージされた領域の間、あるいは、雲と惑星の表面との間の静電放電である。稲妻の主な４種類のタイプがあり、：雲内稲妻、雲間稲妻、雲空気稲妻、及び雲地上稲妻である。雲間稲妻は、雷雨の初めで、いたるところにある。稲妻検出システムは、天気レーダーと組み合わせて、雷雨の位置を突き止めてトラックする気象学上のサービスによって利用される。
【０００２】
稲妻検出システムの主な３種類のタイプがあり、：多数の検出器を利用している地上ベースシステム、（しばしば航空機に搭載）モバイル検出システム、及び宇宙ベースシステムである。各種類の稲妻検出システムは、これらの独特な制限を有する。モバイル検出システムは、稲妻の位置を決定するために、三角測量法というよりもむしろ減衰を利用するので、モバイル検出システムは、弱い落雷が近いのか、あるいは、強い落雷が遠いのを識別するのが困難であり得る。宇宙ベース検出システムは、モバイル又は地上ベースシステムよりも情報を広めるのに長い時間がかかるので、宇宙ベース検出システムからの情報は、航空航法のようなリアルタイムアプリケーションのために有用性が制限される。
【０００３】
米国国立気象サービスのような気象学上のサービスは、落雷の位置を決定するために多数の位置における多数の検出器からの三角測量法を利用する、地上ベース稲妻検出システムを利用する。国立稲妻検出ネットワーク（ＮＬＤＮ）は、例えば、米大陸にわたって約１００個の地上ベース検出器を備える。これらの検出器は、落雷の電磁気信号を検出し、３個以上の信号を三角測量することにより落雷の位置を見積もる、アリゾナ州トゥーソンにおける中央処理地へ衛星を介してデータを送信する。
【０００４】
従来の地上ベース稲妻検出システムは、また、いくつかの不利益を被る。最も重要な不利益は、地上ベース検出器の限られた数による精度の欠落である。地上ベース稲妻検出システムは、数百マイル離れ得るので、最も優れた地上ベース稲妻検出システムの精度でさえも制限される。
【０００５】
１つの検出器が開始する雲における稲妻の位置を検出し得、及び、他の検出器が迎え入る雲における稲妻の位置を検出し得るので、従来の地上ベース稲妻検出システムにて雲間稲妻を検出することは、特に困難である。受け入れ可能な範囲の誤差内で雲間稲妻を検出して突き止めるために、地上ベース稲妻検出システムは、検出範囲内に少なくとも３個の検出器を要する。地上ベース稲妻検出器の数が限られているので、従来の地上ベース稲妻検出システムは、雲間稲妻を少なく見積もる。従来の地上ベース稲妻検出器は、雲空気稲妻の検出時に同様な不利益を有する。
【０００６】
従来の地上ベース稲妻検出ネットワークの精度は、地上ベース検出器の数を増加させることにより改善され得る。しかしながら、ネットワークのコストは、地上ベース検出器が製造され、配置され、及び維持される各時に増加し得る。従って、地上ベース検出器を製造し、配置し、及び維持するためのコストを最少化する一方で、改善された精度を有する稲妻検出ネットワークの必要性が存在する。
【発明の概要】
【発明が解決しようとする課題】
【０００７】
関連技術におけるこれらの及び他の欠点を克服するために、例示の実施形態の側面が提供される。
【課題を解決するための手段】
【０００８】
例示の実施形態の側面によると、稲妻検出データベースと、ポータブル通信装置の位置及び落雷とポータブル通信装置との間の距離を表示するデータを、通信ネットワークを介してポータブル通信装置から受信し、ポータブル通信装置の位置及び落雷とポータブル通信装置との間の距離に部分的に基づいて落雷の位置を決定し、落雷の位置を稲妻検出データベースに格納する、ように構成されている分析装置とを備えているシステム提供されている。
【０００９】
例示の実施形態の他の側面によると、ポータブル通信装置の位置を決定するように構成されている位置検出ユニットと、落雷を検出し、落雷とポータブル通信装置との間の距離を決定するように構成されている稲妻検出ユニットと、通信ネットワークを介して、ポータブル通信装置の位置及び落雷とポータブル通信装置との間の距離を表示するデータを出力するように構成されている無線周波数回路と、を備えているポータブル通信装置が提供されている。
【００１０】
例示の実施形態の他の側面によると、ポータブル通信装置の位置及び落雷とポータブル通信装置との間の距離を表示するデータを、ポータブル通信装置から通信ネットワークを介して受信するステップと、ポータブル通信装置の位置及び落雷とポータブル通信装置との間の距離に部分的に基づいて、落雷の位置を決定するステップと、稲妻検出データベースに落雷の位置を格納するステップと、を含む稲妻検出方法が提供されている。
【図面の簡単な説明】
【００１１】
【図１】従来の地上ベース稲妻検出システムの上からの図である。
【図２Ａ】本発明の例示の実施形態に係る、地上ベース稲妻検出システムの上からの図である。
【図２Ｂ】図１に示されている従来の地上ベース稲妻検出システムの側面図である。
【図２Ｃ】図２Ａに示されている地上ベース稲妻検出システムの側面図である。
【図３】本発明の例示の実施形態に係る、通信装置の概観図である。
【図４Ａ】本発明の例示の実施形態に係る、通信装置の電界検出器の概観図である。
【図４Ｂ】本発明の例示の実施形態に係る、図４Ａに示されている電界を用いているタッチ検出及び電界検出の方法を示すフローチャートである。
【図５】本発明の例示の実施形態に係る、図２Ａに示されている稲妻検出システムの他の概観図である。
【発明を実施するための形態】
【００１２】
例示の実施形態の側面は、添付の図面の参照にてよりよく理解され得る。図面における要素は、例示の実施形態の原理を示していることを認める代わりに、必ずしもスケール、強調するものではない。
【００１３】
本発明の例示の実施形態は、同様な参照番号が全体で同様なエレメント又はステップを参照する図面の参照で詳細に明らかになるであろう。
【００１４】
図１は、従来の地上ベース稲妻検出システム１００の上からの図である。図１に示されているように、地上ベース稲妻検出システム１００は、地上ベース稲妻検出器１０１、１０２、及び１０３を備える。検出器１０１、１０２、及び１０３は、落雷１１０を検出し、各検出器と落雷１０１との間の距離を見積もり、及び、落雷１１０と地上ベース検出器の知られた位置を三角測量することにより落雷１１０の位置を見積もるように構成された中央プロセッサ（不図示）に、距離を伝達する。
【００１５】
雲地上稲妻の落雷１１０に応じて、稲妻検出器１０１は、検出器１０１から落雷１１０への距離１３１を見積もり、及び、稲妻検出器１０２は、検出器１０２から落雷１１０への距離１３２を見積もる。従来の稲妻検出システム１００は、落雷が第３の稲妻検出器の検出可能範囲の内部である場合に、位置１１０での落雷及び位置１１０’での落雷の間を識別のみし得る。この例では、稲妻検出器１０３が、検出器１０３から落雷１１０への距離１０３を見積もるために、範囲内であるので、従来の稲妻検出システム１００は、落雷１１０の位置を決定し得るのみである。
【００１６】
図２Ａは、本発明の例示の実施形態に係る、地上ベース稲妻検出システム２００の上からの図である。図２Ａに示されているように、稲妻検出システム２００は、地球をわたる位置における複数の稲妻検出器２１０を備える。稲妻検出器２１０の数は従来の稲妻検出器１０１−１０３の数よりも多いので、稲妻検出システム２００の精度及び信頼性は、従来の稲妻検出システム１００の精度よりも極めて高い。図２Ａに示されている例では、稲妻検出システム２００は、稲妻検出器２１０ａ、２１０ｂ、及び２１０ｃを備えており、従来の稲妻検出器１０３が落雷１１０を検出するために範囲内に設けられているか否かに関わらず、落雷１１０の位置を決定し得る。
【００１７】
稲妻検出システム２００は、また、従来の稲妻検出システム１００よりもむしろ増加した垂直の範囲を有する。図２Ｂは、従来の稲妻検出システム１００の側面図である。２個の地上ベース稲妻検出器１０１及び１０２が単純に示されている。同様な分析は、しかしながら、三角測量法のために少なくとも３個の検出器を要求するシステムのために真実である。図２Ｂに示されているように、従来の地上ベース検出器１０１及び１０２の各々は、範囲Ｒを有する。範囲Ｒの各々の重複により、従来の稲妻検出システム１００は、有効垂直範囲Ｈ１００を有し得る。
【００１８】
図２Ｃは、稲妻検出器２１０ａ及び２１０ｂを備えている稲妻検出システム２００の側面図である。稲妻検出器２１０ａ及び２１０ｂが従来の地上ベース稲妻検出器１０１及び１０２と同様な範囲Ｒを有すると仮定した場合、稲妻検出器２１０ａ及び２１０ｂの近接により、稲妻検出システム２００は、従来の稲妻検出システム１００の有効垂直範囲Ｈ１００よりも広い有効垂直範囲Ｈ２００を有し得る。
【００１９】
稲妻検出システム２００は、従来の稲妻検出システム１００と組み合わされ得る。例えば、稲妻検出器２１０各々は、稲妻検出器２１０と落雷１１０との間の距離を、従来の稲妻検出システム１００によって用いられる同様な中央プロセッサに出力し得る。従来の地上ベース稲妻検出器１０１、１０２、及び１０３によって生成される検出器と、複数の稲妻検出器２１０によって生成された検出器とを組み合わせることによって、稲妻検出システム２００の精度は、従来の稲妻検出システム１００の精度よりも極めよい。地上ベース稲妻検出システム２００は、また、稲妻検出の信頼性及び精度をさらに増加させるために、１つ以上のモバイル稲妻検出システム、及び／又は、宇宙ベース稲妻検出システムと組み合わされ得る。
【００２０】
上述のように、従来の地上ベース稲妻検出システム１００のコストは、地上ベース検出器１０１−１０３が製造され、配置され、及び維持されるとき各々に増加する。以下に記述のように、しかしながら、地上ベース稲妻検出システム２００は、稲妻検出器２１０をポータブル通信装置３００に組み入れることにより、追加のコストを減少させ又は取り除く。稲妻検出システム２００の精度を増加させることに加えて、稲妻検出器２１０をポータブル通信装置３００に組み入れることは、稲妻検出器２１０を配置及び維持するコストを、稲妻検出システム２００を維持する人からポータブル通信装置３００を購入して維持する人へシフトする。
【００２１】
図３は、本発明の例示の実施形態に係るポータブル通信装置３００の概観である。図３に示されているように、ポータブル通信装置３００は、メモリ３１０、１つ以上のプロセッサ３２０、入力／出力サブシステム３３０、１つ以上の出力装置３４０、１つ以上の入力装置３６０、無線周波数（ＲＦ）回路３７０、１つ以上のセンサ３８０、及びパワーシステム３９０を備え得る。
【００２２】
メモリ３１０は、１つ以上のコンピュータ読取可能格納媒体を備え得る。例えば、メモリ３１０は、高速ランダムアクセスメモリ、及び／又は、１つ以上の時期ディスク格納装置、フラッシュメモリ装置、及び／又は他の不揮発性のソリッドステートメモリとのような不揮発性メモリ等を備え得る。
【００２３】
ポータブル通信装置３００は、位置検出モジュール３１２を備える。位置検出モジュール３１２は、ポータブル通信装置３００の位置を決定又は見積もるように構成されたいくつかの適切な装置であり得る。図３に示されるように、位置検出モジュール３１２は、１つ以上のプロセッサ３２０によって実行されるメモリ３１０において格納された命令のセットとして実装され得る。代替的に、位置検出モジュール３１２は、ハードウエア、あるいは、ハードウエアとコンピュータ読取可能命令との組み合わせによって実装され得る。位置検出モジュール３１２は、全地球測位システム（ＧＰＳ）、補助ＧＰＳ（Ａ−ＧＰＳ）、Ｗｉ−Ｆｉベースポジショニングシステム、セルラーネットワークベースポジショニング等を含むいくつかの適切な手法によって、通信装置３１０の位置を決定又は見積もり得る。
【００２４】
１つ以上のプロセッサ３２０は、中央演算ユニット（ＣＰＵ）３２２、１つ以上のコントローラ３２４、及び／又は１つ以上の周辺コントローラ３２６等を含み得る。プロセッサ３２０は、単一半導体チップに実装され得るもので、あるいは、１つ以上のチップによって実装され得る。１つ以上のプロセッサ３２０は、装置３００のためのデータを処理するために、及び／又は、様々な機能を実行するために、メモリ３１０に格納されている様々なソフトウエアプログラム及び／又は命令のセットを実行し得る。
【００２５】
入力／出力サブシステム３３０は、出力装置３４０、入力装置３６０、及びセンサ３８０のような、装置３３０における入力／出力周辺機器を、周辺コントローラ３２６に結合する。入力／出力サブシステム３３０は、１つ以上の出力コントローラ３３４、１つ以上の入力コントローラ３３６、及び／又は、１つ以上のセンサコントローラ３３８等を備え得る。１つ以上の出力コントローラ３３４は、出力装置３４０へ／から電気信号を送信／受信する。１つ以上の入力コントローラ３３４は、入力装置３６０から／へ電気信号を受信／送信する。１つ以上のセンサコントローラ３３８は、入力装置３８０から／へ電気信号を受信／送信する。
【００２６】
１つ以上の出力装置は、ディスプレイ３４２、スピーカ３４４、１つ以上の外部ポート等を備え得る。ディスプレイ３４２は、液晶ディスプレイ（ＬＣＤ）、発光ポリマーディスプレイ（ＬＰＤ）、発光ダイオード、有機発光ダイオード（ＯＬＥＤ）等のような、可視光を出力するように構成されたいくつかの適切な装置であり得る。
【００２７】
１つ以上の入力装置３６０は、キーボード３６２、マウス（あるいは、トラックボール）３６４、スチール又はビデオカメラ３６６、タッチパッド３６８等を備え得る。タッチパッド３６８は、指又は装置３００に関連する針の位置を決定するための、いくつかの適切な技術を備え得る。以下に記述のように、タッチパッド３６８は、抵抗性タッチセンサ、自己容量性タッチセンサ、相互容量性タッチセンサ等を備え得る。タッチパッド３６８は、タッチセンシティブディスプレイ又はタッチスクリーンを形成するために、ディスプレイ３４２に重畳又は実装され得る。
【００２８】
ＲＦ回路３７０は、ＲＦ信号を送信及び／又は受信するように構成されたいくつかの適切な装置であり得る。ＲＦ回路３７０は、アンテナシステム３７１、ＲＦ送受信機、１つ以上のアンプ、チューナー、１つ以上の発信機、デジタル信号プロセッサ、コーデックチップセット、加入者識別モジュール（ＳＩＭ）カード、メモリ等を備え得る。ＲＦ回路３７０は、他の通信装置、あるいは、インターネット、イントラネット、及び／又は、無線ネットワークのような、セルラー電話ネットワーク、無線ローカルエリアネットワーク（ＬＡＮ）のような通信ネットワーク、及び無線通信による他の装置と、電磁信号を介して通信し得る。無線通信は、汎欧州デジタル移動電話方式（ＧＳＭ）（登録商標）、強化されたデータＧＳＭ環境（ＥＤＧＥ）、高速ダウンリンクパケットアクセス（ＨＳＤＰＡ）、広帯域符号分割多重アクセス（Ｗ−ＣＤＭＡ）、符号分割多元接続（ＣＤＭＡ）、時分割多元接続（ＴＤＭＡ）、ブルートゥース（登録商標）、ワイファイ（Ｗｉ−Ｆｉ）（例えば、ＩＥＥＥ８０２．１１）、ボイス・オーバ・インターネット・プロトコル（ＶｏＩＰ）、Ｗｉ−ＭＡＸ、又は、未だ開発されていない通信プロトコルを含んでいるいくつかの他の適切な通信プロトコルを含む、複数の通信標準、プロトコル及び技術のいくつかを用い得る。
【００２９】
パワーシステム３９０は、装置３００のコンポーネントに電力を供給するように構成されたいくつかの適切な装置で有り得る。パワーシステム３９０は、１つ以上の電源（例えば、バッテリ、交流電流（ＡＣ）等）、電力変換システム、電力管理システム、再充電システム、停電検出回路、電力コンバータ又はインバータ、電力状態表示器（例えば、発光ダイオード（ＬＥＤ））、及び、電子デバイスにおける電力の生成、管理及び供給に関連する他のコンポーネントを備え得る。
【００３０】
１つ以上のセンサ３８０は、近接センサ３８２、外乱光センサ３８４、加速度計３８６、ジャイロスコープ等を備え得る。近接センサ３８２は、ポータブル通信装置３００がオブジェクトの所定の距離内であるか否かを検出するように構成されたいくつかの適切な装置で有り得る。例えば、パーソナルコミュニケータ装置３００は、通話の間に装置３００がユーザの顔の近くにあり、又は、装置３００のカバーが閉じられたことを近接センサ３８２が決定するときに、ディスプレイ３４２及び／又はタッチパッド３６８を非活性化するように構成され得る。外乱光センサ３８４は、外乱光の量を決定するように構成されたいくつかの適切な装置で有り得る。例えば、パーソナルコミュニケータ装置３００は、外乱光センサによって検出された外乱光の量に基づいて、ディスプレイ３４２の明るさを調整するように構成され得る。
【００３１】
図３にて示されているポータブルコミュニケーション装置３００は、モバイル電話ネットワーク（すなわち、「スマートフォーン」）にデータを送信するように構成された電子デバイスである。しかしながら、図３に示されているポータブル通信装置３００は、ポータブル通信装置の単なる１つの例であること、及び、装置３００は、示されているものよりも多い又は少ないコンポーネントを備え得るもので、２つ以上のコンポーネントを組み合わせ得るもので、あるいは、コンポーネントの異なる構成又は組み合わせを有し得ることについて、理解されたい。本発明の例示の実施形態において、ポータブル通信装置３００は、稲妻を検出し、１つ以上のネットワーク５１０と通信し、及び、稲妻を検出に無関係な少なくとも１つの機能を実行するように構成されたいくつかの適切な電子デバイスであり得る。ポータブル通信装置３００は、例えば、ネットワーク接続のコンピューティングデバイス（例えば、携帯情報端末（ＰＤＡ）、タブレット、ネットワークコンピュータ、ポータブル気象検出器、ＧＰＳ受信機等）、あるいは、ネットワーク接続の乗り物（例えば、自動車、船舶、航空機、衛星トラック等）で有り得る。
【００３２】
他の例示の実施形態において、１つ以上の稲妻検出器２１０は、ネットワーク接続コンピュータ、電気製品、家、ビル、又は他の建物のような、非ポータブル通信装置に組み込まれ得る。非ポータブル通信装置は、自己の位置を決定し得、及び／又は、稲妻検出システム２００に出力し得る。代替的に、非ポータブル通信装置の位置は、稲妻検出システム２００に知られ得る。
【００３３】
ポータブル通信装置３００は、１つ以上の稲妻検出器２１０を備える。図３に示される様々なコンポーネントは、１つ以上の信号処理及び／又は特定用途向け集積回路を含んでいる、ハードウエア、ソフトウエア、あるいは、ハードウエア及びソフトウエアの組み合わせにおいて、実装され得る。
【００３４】
１つ以上の稲妻検出器２１０は、稲妻を検出するように構成されたいくつかの適切な装置であり得る。稲妻検出器２１０は、落雷１１０がポータブル通信装置３００の位置の最も近くで発生したことを検出し得、及び／又は、ポータブル通信装置３００の位置から落雷１１０への距離又は方向を決定又は見積もり得る。
【００３５】
いくつかの例示の実施形態において、１つ以上の稲妻検出器２１０は、落雷１１０を検出するように特に構成された追加ハードウエアを追加することによって、ポータブル通信装置３００に組み入れられ得る。他のより好ましい例示の実施形態において、１つ以上の稲妻検出器２１０は、稲妻検出に無関係な追加の機能を実行するポータブル通信装置３００の１つ以上のハードウエアコンポーネントを用いて実装される。稲妻検出に無関係な追加の機能を実行する１つ以上のハードウエアコンポーネントを用いることは、稲妻検出器３１０の製造、配置、及び維持のコストを更に減少させる。
【００３６】
１つの例示の実施形態によると、１つ以上の稲妻検出器２１０は、無線周波数（ＲＦ）稲妻検出器を備え得る。ＲＦ稲妻検出器は、稲妻によって生成されたＲＦ電磁信号を検出するように構成されたいくつかの適切な装置で有り得る。ＲＦ稲妻検出器は、また、例えば、検出されたエネルギー放電の大きさに基づいて、ポータブル通信装置３００と落雷１１０との間の距離を決定又は見積もり得る。ＲＦ稲妻検出器は、稲妻によって生成されたＲＦ電磁信号を検出するために、ポータブル通信装置３００に組み入れられた追加のハードウエアとして実装され得る。より好ましくは、しかしながら、ＲＦ稲妻検出器は、稲妻によって生成されたＲＦ電磁信号を検出するためにＲＦ回路３７０のアンテナシステム３７１を用い得る。このより好ましい実施形態において、アンテナシステム３７１は、また、上述のように、ＲＦ信号を送信及び／又は受信するためにＲＦ回路３７０によって用いられ得る。
【００３７】
他の例示の実施形態によると、１つ以上の稲妻検出器２１０は、干渉計を備え得る。干渉計は、２つ以上のセンサによって受信された（狭帯域又は広帯域の）信号の間の位相差を測定するように構成されたいくつかの適切な装置であり得る。例えば、干渉計は、２つの近接配置アンテナであり得、各アンテナは、狭帯域フィルタを介して、アンテナによって受信された２つの信号の間の位相における差に比例する電圧を出力する位相検出器に接続されている。この例において、位相差は、２つのアンテナの平面に垂直な平面において、検出された落雷１１０の方向を識別するために用いられ得る。干渉計は、また、例えば、２つ以上のセンサによって受信された信号の大きさに基づいて、ポータブル通信装置３００と落雷１１０との間の距離を決定又は見積もり得る。干渉計は、稲妻によって生成された２つの信号を検出するために、ポータブル通信装置３００において組いられた追加のハードウエアとして実装され得る。より好ましくは、しかしながら、干渉計は、稲妻によって生成された２つの信号を検出するために、ＲＦ回路３７０のアンテナシステム３７１を用い得る。このより好ましい実施形態において、アンテナシステム３７１は、また、上述のようにＲＦ信号を送信及び／又は受信するために、ＲＦ回路３７０によって用いられ得る。
【００３８】
他の例示の実施形態によると、１つ以上の稲妻検出器２１０は、光モニタを備え得る。光モニタは、雲地上稲妻又は雲間稲妻によって生成された光パルスを検出するように構成された、いくつかの適切な装置であり得る。いくつかの例において、雲間稲妻は、雲地上稲妻に進歩する。光モニタは、また、例えば、光モニタによって検出された光パルスの大きさに基づいて、ポータブル通信装置３００及び落雷１１０の間の距離を決定又は見積もる。光モニタは、稲妻によって生成された光パルスを検出するために、ポータブル通信装置３００に組み入れられた追加のハードウエアとして実装され得る。より好ましくは、しかしながら、光モニタは、光パルスを検出するために、ポータブル通信装置３００のハードウエアコンポーネント（例えば、近接センサ３８２及び／又はカメラ３６６）を用い得る。このより好ましい実施形態において、稲妻によって生成された光パルスを検出するために用いられるハードウエアコンポーネントは、また、上述のように追加の機能を実行するために、ポータブル通信装置３００によって用いられる。
【００３９】
他の例示の実施形態によると、１つ以上の稲妻検出器２１０は、電界モニタを備え得る。電界モニタは、例えば、落雷１１０に近接して生じる地球の電界の電位勾配（電圧）において変化する電界における変化を測定するように構成されたいくつかの適切な装置であり得る。電界モニタは、また、例えば、電界モニタによって検出された電界における変化の大きさに基づいて、ポータブル通信装置３００と落雷１１０との間の距離を決定又は見積もり得る。電界モニタは、ポータブル通信装置３００に組み込まれたハードウエア（例えば、電界ミル）として実装され得る。より好ましくは、しかしながら、大気中の電界モニタは、落雷１１０に近接して生じる電界における変化を検出するために、（図４Ａ及び４Ｂを参照している下記のように）タッチパッド３６８を用い得る。
【００４０】
当業者が理解するように、１つ以上の稲妻検出器は、１種類より多い稲妻検出器を備え得る。１つの例において、１つ以上の稲妻検出器２１０は、ＲＦ稲妻検出器及び光モニタを備え得る。ＲＦ稲妻検出器は、ＲＦ干渉を検出し得、近くの落雷１１０の検出として、ＲＦノイズを誤解し得る。この例のように、稲妻検出器２１０は、稲妻がＲＦ稲妻検出器及び光モニタの両方によって検出される場合のみに、稲妻検出信号を出力するように構成され得る。１つよりも多い稲妻検出器は、また、例えば、光モニタによる光パルスの検出及びＲＦ稲妻検出器によるＲＦ電磁信号の検出の間の時間に基づいて、ポータブル通信装置３００と落雷１１０との間の距離を決定又は見積るために用いられ得る。
【００４１】
稲妻検出器２１０は、メモリ３１０に格納されており１つ以上のプロセッサ３２０によって実行される、ソフトウエア命令を備え得る。稲妻検出に無関係な追加の機能を実行する、ポータブル通信装置３００のハードウエアコンポーネント（例えば、上述のアンテナシステム３７１、タッチパッド３６８等）を稲妻検出器２１０が用いているか否かに関わらず、稲妻検出器２１０は、また、落雷１１０を検出するように特に構成された追加のハードウエア、あるいは、稲妻検出に無関係な追加の機能を実行する、ポータブル通信装置３００のハードウエアコンポーネントであり得る、追加のハードウエアを（例えば、稲妻によって生成された、及び、稲妻検出器２１０によって検出された信号をフィルタ又は処理するために）備える。
【００４２】
図４Ａは、本発明の例示の実施形態に係る通信装置の電界検出器４００の概観である。図３を参照して上述のように、ポータブル通信装置３００は、メモリ３１０、１つ以上のプロセッサ３２０、入力／出力サブシステム３３０、及びタッチパッド３６８を備える。タッチパッド３６８は、ドライブ信号発生器４６７、検出ユニット４６９、段トレースＣ１、Ｃ２、Ｃ３等、及び列トレースＲｌ、Ｒ２、Ｒ３等を備える。タッチパッドは、タッチセンシティブディスプレイ又はタッチスクリーンを形成するために、ディスプレイ３４２に重畳又は実装され得る。
【００４３】
１つの例示の実施形態によると、タッチパッド３６８は、相互容量性タッチセンサである。相互容量性タッチセンサパッドは、段トレース（すなわち、Ｃ１、Ｃ２等）及び列トレース（すなわち、Ｒｌ、Ｒ２等）の各交差におけるキャパシタを備え得る。電圧は、段又は列に印加される。指又は導電の針が表面の近くにあるとき、指又は針は、相互容量を減少させるローカル電界を変化させる。グリッドにおける各個別ポイントでの容量変化は、他の軸における電圧の測定によって接触位置を正確に決定するために測定され得る。例えば、電圧が段Ｃ１、Ｃ２等に印加される場合、容量変化は、列Ｒ１、Ｒ２等の各々における電圧を測定することにより測定され得る。相互容量性タッチスクリーンが多数の指又は針を同時に正確にトラックし得るので、相互容量性タッチスクリーンは、自己容量性タッチスクリーンに一般的に好ましい。
【００４４】
他の例示の実施形態によると、タッチパッド３６８は、自己容量性タッチセンサである。自己容量性タッチセンサは、相互容量センサと同じ段及び列のグリッドを備えるが、段及び列は独立して動作する。自己容量で、電流は、各段又は列の指又は針の容量性付加を検出する。自己容量性タッチセンサは、１つの同時タッチよりも正確に解決できない。自己容量性タッチセンサは、しかしながら、相互容量性タッチセンサよりも強い信号を生成する。
【００４５】
他の例示の実施形態によると、タッチパッド３６８は、自己容量性及び相互容量性の両方のタッチ検出性能を有する。自己容量性及び相互容量性の両方の検出性能で、タッチパッド３６８は、２つのモードを備え得るもので、：タッチパッド３６８が電界における変化をより正確に検出するために自己容量性タッチ検出を利用する電界検出モード、及び、タッチパッド３６８が１つの同時タッチよりも多いものを検出するために相互容量性タッチ検出能力を用いるタッチ検出モードである。
【００４６】
図４Ｂは、図４Ａに示されている電界検出器４００を用いているタッチ検出及び電界検出の方法の例を示すフローチャートである。図４Ｂを参照して、タッチパッド３６８のデフォルトステートは、電界検出モードである。電界検出モードにおいて、ドライブ信号発生器４６７は、オペレーションＳ４０１にてマルチ導電トレースをドライブし、検出ユニット４６９は、オペレーション４０３にて自己容量を測定する。自己容量性検出が相互容量性検出よりも強い信号を生成するので、電界検出モードにおけるタッチパッド３６８は、ポータブル通信装置３００に最も近い落雷によって引き起こされる地球の電界における変化を、より精度よく検出することが可能となる。マルチ導電トレースの自己容量を測定することにより、タッチパッド３６８は、タッチパッド３６８が指又は針によってアプローチ又はタッチされているかどうかを決定することを決定することが可能である。
【００４７】
図４Ｂに示されているように、タッチパッド３６８は、オペレーションＳ４０５において、指又は針がタッチパッド３６８をタッチしているか否かを繰り返し決定する。タッチパッド３６８が指又は針によってタッチされていない場合、タッチパッド３６８は、オペレーションＳ４０１及びＳ４０３を繰り返すことにより、電界検出モードにて継続する。タッチパット３６８が指又は針によってタッチされている場合、タッチパッド３６８は、タッチ検出モードに入る。
【００４８】
タッチ検出モードにおいて、ドライブ信号発生器４６７は、オペレーション４５１にて時間に１つの導電トレース（例えば、段トレースＣ１）をドライブし、検出ユニット４６９は、オペレーションＳ４５３にて他の軸に沿って１つの導電トレース（この例において、列トレースＲ１、Ｒ２等）における相互キャパシタを測定する。相互容量性センサが１つのタッチより多くを解決できるので、タッチパッド３６８は、タッチパッドがタッチ検出モードである間、マルチタッチ性能を提供する。タッチパッド３６８がタッチ検出モードである間、タッチパッド３６８は、タッチパッド３６８がオペレーションＳ４０５にて指又は針によってタッチされているか否かを繰り返し決定する。タッチパッド３６８が指又は針によってタッチされ続ける場合、タッチパッド３６８は、タッチ検出モードにて継続する。さもなければ、タッチパッド３６８は、電界検出モードに戻る。
【００４９】
図５は、本発明の例示の実施形態に係る、稲妻検出システム２００の他の概観である。図５にて示されているように、稲妻検出システム２００は、分析ユニット５００、１つ以上の通信ネットワーク５１０、稲妻検出データベース５９０、及び１つ以上のポータブル通信装置３００ａ―ｎを備える。
【００５０】
分析ユニット５００は、１つ以上の通信ネットワーク５１０を介して、１つ以上のポータブル通信装置３００ａ―ｎからデータを受信するように構成されたいくつかの適切なコンピューティング装置（例えば、サーバ）であり得る。分析ユニット５００は、また、宇宙ベース稲妻検出システム５２０、及び／又は、１つ以上のモバイル稲妻検出器５３０、及び又は、１つ以上の従来の地上ベース稲妻検出器１０１−１０３からデータを受信し得る。
【００５１】
１つ以上の通信ネットワーク５００は、インターネット、イントラネット、及び／又は、セルラー電話ネットワーク、無線ローカルエリアネットワーク（ＬＡＮ）等のような、無線ネットワークを備え得る。無線通信は、ＲＦ回路３７０に関する上述の複数の通信標準、プロトコル、及び技術のいくつかを用い得る。パーソナル通信装置３００ａ―ｎの全て又はいくつかは、ＲＦ回路３７０ａ―ｎを介して１つ以上の通信ネットワーク５００と通信し得る。代替的に、パーソナル通信装置３００ａ―ｎのいくつか又は全ては、例えばイーサネット（登録商標）、ユニバーサルシリアルバス（ＵＳＢ）等のような有線接続を介して、１つ以上の通信ネットワーク５１０と通信し得る。
【００５２】
例示の実施形態の側面によると、分析ユニット５００は、１つ以上通信ネットワーク５１０を介して、１つ以上のポータブル通信装置３００ａ―ｎから、：（例えば、１つ以上の稲妻検出器２１０ａ―ｎによって検出された）落雷１１０を表示するデータ、（例えば、位置検出モジュール３１２ａ―ｎによって検出された）ポータブル通信装置３００ａの位置を表示するデータ、及び（例えば、１つ以上の稲妻検出器２１０ａ―ｎによって検出された）１つ以上のポータブル通信装置３００ａ―ｎ及び落雷１１０の間の距離各々を表示するデータ、を受信するように構成されている。同様に、分析ユニット５００は、１つ以上の従来の地上ベース稲妻検出器１０１−１０３又はモバイル稲妻検出器５３０から、：落雷１１０を法事するデータ、検出器１０１−１０３又は５３０の位置を表示するデータ、及び検出器１０１−１０３又は５３０と落雷１１０との間の距離を表示するデータを受信し得る。
【００５３】
分析ユニット５００は、また、気象データ又は気象予報データを、送信及び／又は受信し得る。例えば、分析ユニット５００は、気象データベース５４０から（直接的に又はネットワーク５１０を介しての何れかにて）気象データ又は気象予報データを受信し得る。分析ユニット５００は、また、１つ以上のポータブル通信装置３００ａ―ｎへの伝送のための通信ネットワーク５１０への、落雷１１０を表示するデータ（例えば、１つ以上の落雷１１０の時間及び／又は位置）、及び／又は、気象データ、及び／又は、気象予報データを出力するように構成され得る。分析ユニット５００は、また、稲妻検出器２１０を備えていない１つ以上の通信装置に、通信ネットワーク５１０を介して、落雷１１０を表示するデータを出力／送信し得る。１つの例において、分析ユニット５００は、ポータブル通信装置３００に、マップ及び落雷１１０の位置のマップにおける表示を出力するように構成され得る。他の例において、落雷がポータブル通信装置３００の位置の所定の距離内である場合、分析ユニットは、ポータブル通信装置３００の位置を受信し得、及び、落雷１１０を表示するデータを出力し得る。ポータブル通信装置３００の位置を表示するデータは、通信装置位置データベース５５０に格納され得る。分析装置５００は、直接的に又は通信ネットワーク５１０を介しての何れかによって、通信装置位置データベース５５０から、通信装置の位置を表示するデータを受信し得る。
【００５４】
稲妻検出システム２００の分析ユニット５００は、落雷１１０と３つ以上の検出器２１０ａ―ｃ又は１０１−１０３（図２Ａ参照）との間の距離を三角測量し、稲妻検出データベース５９０に落雷１１０の位置を格納することにより、落雷１１０の位置を決定するように構成されている。
【００５５】
上述のように、稲妻検出システム２００は、稲妻検出器の数を増加させることにより、従来の地上ベース稲妻検出システム１００と比べて増加した信頼性及び精度にて、落雷１１０の位置を検出する。稲妻検出システム２００は、ポータブル通信装置３００の位置を検出又は見積もるために、ポータブル通信装置３００及び落雷１１０の間の距離を検出又は見積もるために、及びポータブル通信装置３００の位置及びポータブル通信装置３００と落雷１１０との間の距離を表示するデータを、１つ以上の通信ネットワーク５１０を介して分析ユニット５００に通信するために、稲妻検出器２１０をポータブル通信装置３００に組み入れることにより、及び／又は、ポータブル通信装置３００に既に組み入れられたハードウエアを用いることにより、追加の稲妻検出器２１０を製造、配置、及び維持するコストを減少させる。
【００５６】
好ましい実施形態が上述のように明らかにしているが、本開示を検討した当業者は、他の実施形態が発明の範囲内で実現され得ることについて即座に理解するであろう。例えば、ハードウエアコンポーネント、ソフトウエアモジュール等のようなものの特定の数の開示は、限定というよりもむしろ例示である。従って、本発明は、添付の請求によってのみ限定されるものとして解釈されるべきである。
〔付記１〕
稲妻検出データベースと、
ポータブル通信装置の位置、及び落雷と前記ポータブル通信装置との間の距離を表示するデータを、通信ネットワークを介して前記ポータブル通信装置から受信し、
前記落雷から前記ポータブル通信装置の前記位置への前記距離に部分的に基づいて、前記落雷の位置を決定し、
前記落雷の前記位置を前記落雷検出データベースに格納する、
分析ユニットと、を備える、
システム。
〔付記２〕
前記ポータブル通信装置は、１つ以上のアンテナを備えており、及び、
前記ポータブル通信装置は、
前記１つ以上のアンテナを用いている前記通信ネットワークに前記データを出力し、及び、
前記１つ以上のアンテナによって受信された無線周波数信号に基づいて、前記落雷と前記ポータブル通信装置との間の前記距離を決定する、ように構成されている、
付記１に記載のシステム。
〔付記３〕
前記ポータブル通信装置は、前記１つ以上のアンテナを用いて無線周波数信号を検出することにより、前記落雷と前記ポータブル通信装置との間の前記距離を決定する、ように構成されている、
付記２に記載のシステム。
〔付記４〕
１つ以上のアンテナは、２つのアンテナを備え、及び、
前記ポータブル通信装置は、前記２つのアンテナによって受信された２つの信号の間の位相差を検出することにより、前記落雷と前記ポータブル通信装置との間の前記距離を決定する、ように構成されている、
付記２に記載のシステム。
〔付記５〕
前記ポータブル通信装置は、ディスプレイ及び近接センサを備えており、及び、
前記ポータブル通信装置は、
前記ポータブル通信装置がオブジェクトの所定の距離内であることを前記近接センサが決定するときに、前記ディスプレイを非活性化し、
前記近接センサの前記出力に基づいて、前記落雷と前記ポータブル通信装置との間の前記距離を決定する、ように構成されている、
付記１に記載のシステム。
〔付記６〕
前記ポータブル通信装置は、ディスプレイ及び外乱光センサを備えており、及び、
前記ポータブル通信装置は、
前記外乱光センサの前記出力に基づいて、前記ディスプレイの明るさを調整し、
前記外乱光センサの前記出力に基づいて、前記落雷と前記ポータブル通信装置との間の前記距離を決定する、ように構成されている、
付記１に記載のシステム。
〔付記７〕
前記ポータブル通信装置は、カメラを備えており、及び、
前記ポータブル通信装置は、
前記カメラの前記出力に基づいて、静止画及び／又は動画をキャプチャし、
前記カメラの前記出力に基づいて、前記落雷と前記ポータブル通信装置との間の前記距離を決定する、ように構成されている、
付記１に記載のシステム。
〔付記８〕
前記ポータブル通信装置は、タッチパッドを備えており、及び、
前記ポータブル通信装置は、前記タッチパッドによって検出される電界における変化に基づいて、前記落雷と前記ポータブル通信装置との間の前記距離を決定する、ように構成されている、
付記１に記載のシステム。
〔付記９〕
前記タッチパッドは、複数の導電トレースを含んでいる容量性タッチパッドであり、及び、
前記ポータブル通信装置は、
２つ以上の前記導電トレースをドライブし、
２つ以上の前記導電性トレースの自己容量に基づいて、前記落雷と前記ポータブル通信装置との間の前記距離を決定する、ように構成されている、
付記８に記載のシステム。
〔付記１０〕
前記タッチパッドは、複数の導電トレースを含んでいる容量性タッチパッドであり、
前記複数の導電トレースは、複数の導電列及び複数の導電段を含んでおり、及び、
前記ポータブル通信装置は、
前記導電段又は前記導電列を順次ドライブし、
前記導電段及び導電列の間の相互容量に基づいて、前記落雷及び前記ポータブル通信装置の間の前記距離を決定する、ように構成されている、
付記８に記載のシステム。
〔付記１１〕
前記タッチパッドは、複数の導電トレースを含んでいる容量性タッチパッドであり、
前記複数の導電トレースは、複数の導電列及び複数の導電段を含んでおり、及び、
前記ポータブル通信装置は、
２つ以上の前記導電トレースをドライブし、
前記２つ以上の導電トレースの自己容量に基づいて、前記落雷と前記ポータブル通信装置との間の前記距離を決定し、
前記多数の導電トレースの前記自己容量に基づいて、１つ以上の指又は導電針が前記タッチパッドに近接しているか否かを決定し、
１つ以上の指又は導電針が前記タッチパッドに近接しているという決定に応じて、前記導電段又は前記導電列を順次ドライブし、
前記導電段及び前記導電列の間の相互容量に基づいて、前記１つ以上の指又は導電針の位置を決定する、
付記８に記載のシステム。
〔付記１２〕
ポータブル通信装置の位置を決定するように構成されている位置検出ユニットと、
落雷を検出し、前記落雷と前記ポータブル通信装置との間の距離を決定するように構成されている稲妻検出ユニットと、
通信ネットワークを介して、前記ポータブル通信装置の前記位置、及び前記落雷と前記ポータブル通信装置との間の前記距離を表示するデータを出力するように構成されている無線周波数回路と、を備える、
ポータブル通信装置。
〔付記１３〕
前記無線周波数回路は、１つ以上のアンテナを備えており、及び、
前記ポータブル通信装置は、前記１つ以上のアンテナによって受信された無線周波数信号に基づいて、前記落雷と前記ポータブル通信装置との間の前記距離を決定する、ように構成されている、
付記１２に記載のポータブル通信装置。
〔付記１４〕
前記ポータブル通信装置は、前記１つ以上のアンテナを用いて無線周波数信号を検出することにより、前記落雷と前記ポータブル通信装置との間の前記距離を決定する、ように構成されている、
付記１３に記載のポータブル通信装置。
〔付記１５〕
１つ以上のアンテナは、２つのアンテナを備え、及び、
前記ポータブル通信装置は、前記２つのアンテナによって受信された２つの信号の間の位相差を検出することにより、前記落雷と前記ポータブル通信装置との間の前記距離を決定する、ように構成されている、
付記１３に記載のポータブル通信装置。
〔付記１６〕
ディスプレイ及び近接センサを更に備えており、
前記ポータブル通信装置は、
前記ポータブル通信装置がオブジェクトの所定の距離内であることを前記近接センサが決定するときに、前記ディスプレイを非活性化し、
前記近接センサの前記出力に基づいて、前記落雷と前記ポータブル通信装置との間の前記距離を決定する、ように構成されている、
付記１２に記載のポータブル通信装置。
〔付記１７〕
ディスプレイ及び外乱光センサを更に備えており、
前記ポータブル通信装置は、
前記外乱光センサの前記出力に基づいて、前記ディスプレイの明るさを調整し、
前記外乱光センサの前記出力に基づいて、前記落雷と前記ポータブル通信装置との間の前記距離を決定する、ように構成されている、
付記１２に記載のポータブル通信装置。
〔付記１８〕
カメラを更に備えており、
前記ポータブル通信装置は、
前記カメラの前記出力に基づいて、静止画及び／又は動画をキャプチャし、
前記カメラの前記出力に基づいて、前記落雷と前記ポータブル通信装置との間の前記距離を決定する、ように構成されている、
付記１２に記載のポータブル通信装置。
〔付記１９〕
タッチパッドを更に備えており、
前記ポータブル通信装置は、前記タッチパッドによって検出される電界における変化に基づいて、前記落雷と前記ポータブル通信装置との間の前記距離を決定する、ように構成されている、
付記１２に記載のポータブル通信装置。
〔付記２０〕
前記タッチパッドは、複数の導電トレースを含んでいる容量性タッチパッドであり、及び、
前記ポータブル通信装置は、
２つ以上の前記導電トレースをドライブし、
２つ以上の前記導電性トレースの自己容量に基づいて、前記落雷と前記ポータブル通信装置との間の前記距離を決定する、ように構成されている、
付記１９に記載のポータブル通信装置。
〔付記２１〕
前記タッチパッドは、複数の導電列及び複数の導電段を含んでいる容量性タッチパッドであり、及び、
前記ポータブル通信装置は、
前記導電段又は前記導電列を順次ドライブし、
前記導電段及び導電列の間の相互容量に基づいて、前記落雷及び前記ポータブル通信装置の間の前記距離を決定する、ように構成されている、
付記１９に記載のポータブル通信装置。
〔付記２２〕
前記タッチパッドは、複数の導電トレースを含んでいる容量性タッチパッドであり、
前記複数の導電トレースは、複数の導電列及び複数の導電段を含んでおり、及び、
前記ポータブル通信装置は、
２つ以上の前記導電トレースをドライブし、
前記２つ以上の導電トレースの自己容量に基づいて、前記落雷と前記ポータブル通信装置との間の前記距離を決定し、
前記多数の導電トレースの前記自己容量に基づいて、１つ以上の指又は導電針が前記タッチパッドに近接しているか否かを決定し、
１つ以上の指又は導電針が前記タッチパッドに近接しているという決定に応じて、前記導電段又は前記導電列を順次ドライブし、
前記導電段及び前記導電列の間の相互容量に基づいて、前記１つ以上の指又は導電針の位置を決定する、
付記１９に記載のポータブル通信装置。
【図１】
0006411651.tif 000002
【図２Ａ】
0006411651.tif 000003
【図２Ｂ】
0006411651.tif 000004
【図２Ｃ】
0006411651.tif 000005
【図３】
0006411651.tif 000006
【図４Ａ】
0006411651.tif 000007
【図４Ｂ】
0006411651.tif 000008
【図５】
0006411651.tif 000009